(57)【要約】【課題】  オフセット印刷画線上に規則的に並列配置した凹版画線を加刷した際に発生するモアレを解消する。【解決手段】  基材上に、オフセット印刷によって形成された第１の印刷領域と、第１の印刷領域上の少なくとも一部に凹版印刷によって形成された第２の印刷領域を有し、第１の印刷領域における少なくとも一部は、ＦＭスクリーンから構成される第１の画線と、ＡＭスクリーンから構成された第２の画線を有し、第２の印刷領域内における少なくとも一部は、規則的に所定の画線間隔によって並列配置された第３の印刷領域を有し、第３の印刷領域の下部に第１の画線が形成されることで印刷物のモアレを防止することを特徴とする凹版印刷物である。【選択図】  図１
2010167726.tif 000002
【特許請求の範囲】
【請求項１】
基材上に、オフセット印刷によって形成された第１の印刷領域と、前記第１の印刷領域上の少なくとも一部に凹版印刷によって形成された第２の印刷領域を有し、
前記第１の印刷領域における少なくとも一部は、ＦＭスクリーンから構成される第１の画線と、ＡＭスクリーンから構成された第２の画線を有し、
前記第２の印刷領域内における少なくとも一部は、規則的に所定の画線間隔によって並列配置された第３の印刷領域を有し、
前記第２の印刷領域の下部は、前記第２画線が形成され、
前記第３の印刷領域の下部に前記第１の画線が形成されることで印刷物のモアレを防止することを特徴とする凹版印刷物。
【請求項２】
前記第１の画線及び前記第２の画線における境界線は、前記第３の印刷領域の輪郭線であることを特徴とする請求項１記載の凹版印刷物。
【請求項３】
前記所定の画線間隔は、画線幅が０．０１〜０．１５ｍｍ、非画線幅が０．０１〜０．１５ｍｍであることを特徴とする請求項１又は２記載の凹版印刷物。
【請求項４】
前記第１の画線及び前記第２の画線は、プロセス４色によって形成されたことを特徴とする請求項１乃至３のいずれか１項記載の凹版印刷物。
【発明の詳細な説明】
【技術分野】
【０００１】
本発明は、オフセット印刷と凹版印刷を組み合せたコンビネーション印刷物に関するものである。
【背景技術】
【０００２】
通常、プロセス４色（ＹＭＣＫ色）を用いた多色オフセット印刷を行う場合は、ＡＭスクリーンを用い、各色の網点のスクリーン角度を変えることで、印刷物のモアレを防止している。また、ＡＭスクリーンの他に、ＦＭスクリーンを用いた方法も公知である。さらには、ＦＭスクリーンのノイズを解消する方法として、プリンタでも実施可能であり、ディザ処理を用いた網点生成方法も開示されている（特許文献１）。
【０００３】
通常のプロセス４色のＡＭスクリーンから構成するオフセット印刷物のモアレ防止方法については、原稿を色分解するときに、モアレを考慮した網点角度や網点線数を変えてＹＭＣＫ版を作製し、順次印刷を行う。この印刷物を拡大して見ると、ＹＭＣＫ版の網点によるロゼッタパターンを規則的に配置することで、オフセット印刷物のモアレを防止している。
【０００４】
一方、プロセス４色を用いた多色オフセット印刷と１色以上を用いた凹版印刷のコンビネーション印刷物があり、この場合もモアレを防止する必要がある。しかし、オフセット印刷の網点と凹版印刷の凹版画線によるモアレを防止する具体的な方法は開示されていない。
【０００５】
例えば、通常のコンビネーション印刷物の作製方法で、オフセット印刷にＡＭスクリーンを用いた場合を図６、図７で説明する。まず、図６は、コンビネーション印刷物２０の説明図であり、オフセット印刷の上に凹版印刷を加刷した人物像である。凹版印刷の印刷領域は、髪の毛（日本髪）のみであり、一方、オフセット印刷の印刷領域は、ＡＭスクリーンによって凹版印刷の下部を含む用紙全体に印刷されている。
【０００６】
次に、図７は、図６の日本髪の一部Ｈを拡大し、モアレの発生を説明した図である。図７（ａ）は、オフセット印刷に凹版印刷を加刷した印刷状態を示し、図７（ｂ）は、オフセット印刷のみの印刷状態、図７（ｃ）は、凹版印刷のみの印刷状態を示している。
【０００７】
図７（ｂ）に示すオフセット印刷のみの印刷物２１は、プロセス４色の網点で構成しており、それぞれの網点のモアレを解消するため、規則的にロゼッタパターンＲを形成する。なお、領域１ａは、日本髪の背景領域であるため印刷濃度が低く、また、領域２ａは日本髪の領域であるため印刷濃度が高くなっている。
【０００８】
図７（ｃ）は、凹版のみの印刷物２２であり日本髪の領域となり、凹版印刷による凹版画線Ｉを示している。凹版画線Ｉは、複数の規則的な線で様々な角度で構成されている。
【０００９】
図７（ａ）は、オフセット印刷の上に凹版印刷を加刷したコンビネーション印刷物２０である。具体的には、オフセット印刷によるロゼッタパターンＲ上に、一部凹版印刷の凹版画線Ｉを加刷している。しかし、この作製方法では、規則的に配置したロゼッタパターンＲ上に、凹版印刷による規則的な凹版画線Ｉが加刷されるため、モアレが発生するという課題があった。
【００１０】
一方で、コンビネーション印刷物でオフセット印刷にＦＭスクリーンを用いた場合、ＦＭスクリーンによる網点は規則性がないため、ＦＭスクリーン上に凹版印刷の凹版画線を加刷（積層）しても、モアレは発生しない。しかし、ＦＭスクリーンを用いた場合、オフセット印刷のみの印刷領域では、例えば、人物画、風景画等の中間調が豊富な図柄では、ガサツキが目立ち豊富な階調が再現できないという課題があった。
【先行技術文献】
【特許文献】
【００１１】
【特許文献１】特開２００７−６０１４９号公報
【発明の概要】
【発明が解決しようとする課題】
【００１２】
本発明は、コンビネーション印刷物を作製する場合に、オフセット印刷でＡＭスクリーンとＦＭスクリーンとを組合せて印刷した後、ＦＭスクリーンの印刷領域に対して、凹版印刷の凹版画線を加刷した印刷物に関し、前述した課題を解消するものである。
【課題を解決するための手段】
【００１３】
本発明の凹版印刷物は、基材上に、オフセット印刷によって形成された第１の印刷領域と、前述の第１の印刷領域上における少なくとも一部に凹版印刷によって形成された第２の印刷領域を有し、第１の印刷領域における少なくとも一部は、ＦＭスクリーンから構成される第１の画線と、ＡＭスクリーンから構成された第２の画線を有し、第２の印刷領域内における少なくとも一部は、規則的に所定の画線間隔によって並列配置された第３の印刷領域を有し、第２の印刷領域の下部は、第２の画線が形成され、第３の印刷領域の下部に第１の画線が形成されることで印刷物のモアレを防止する凹版印刷物であることを特徴としている。
【００１４】
また、本発明の凹版印刷物における第１の画線及び第２の画線における境界線は、第３の印刷領域の輪郭線である凹版印刷物であることを特徴としている。
【００１５】
また、本発明の凹版印刷物における所定の画線間隔とは、画線幅が０．０１〜０．１５ｍｍ、非画線幅が０．０１〜０．１５ｍｍである凹版印刷物であることを特徴としている。
【００１６】
また、本発明の凹版印刷物における第１の画線及び第２の画線は、プロセス４色によって形成された凹版印刷物であることを特徴としている。
【発明の効果】
【００１７】
本発明のコンビネーション印刷物では、加刷される凹版画線が規則的に所定の間隔によって配置される以外の印刷領域に対しては、ＡＭスクリーンにより印刷を行うことで、滑らかで豊富な階調表現を維持し、一方、加刷する凹版画線が規則的に所定の間隔によって配置される領域には、ＦＭスクリーンにより印刷を行うことにより、オフセット印刷の網点と凹版画線とのモアレが発生せず、凹版画線の緻密さ、重厚さを得られる印刷物を提供することができる。
【図面の簡単な説明】
【００１８】
【図１】本発明の実施形態の説明図である。
【図２】本発明のオフセット版面の作製工程図である。
【図３】本発明の凹版画線の説明図である。
【図４】本発明の実施例の説明図である。
【図５】本発明の実施例の説明図である。
【図６】従来のコンビネーション印刷物の説明図である。
【図７】従来のコンビネーション印刷物の説明図である。
【発明を実施するための最良の形態】
【００１９】
本発明の凹版印刷物を作製するための最良の形態について説明するが、特許請求の範囲に記載する技術的思想の範囲内であれば、本形態に限定されるものではなく、さまざまな形態により実施することができる。
【００２０】
本発明の実施形態は、プロセス４色によるオフセット印刷と凹版印刷のコンビネーション印刷物である。オフセット印刷では、ＡＭスクリーンの印刷領域とＦＭスクリーンの印刷領域を組み合せたＰＳ版面を４色ごとに作製してオフセット印刷した後、ＦＭスクリーンの印刷領域に規則的に並列配置される凹版画線を加刷することが特徴である。但し、凹版画線の端部の形状によっては、並列する画線の隙間が異なるため、ＦＭスクリーンとＡＭスクリーンの印刷境界位置は異なる。また、印刷方式は、オフセット印刷機と凹版印刷機との別々の印刷機を使用しても、オフセット印刷と凹版印刷が同時に印刷できる印刷機を使用しても良い。
【００２１】
（コンビネーション印刷物の作製方法）
図１に本発明の実施形態を示す。例えば、図１（ａ）は、オフセット印刷でプロセス４色により、ＦＭスクリーンとＡＭスクリーンとを混成したＰＳ版面を各色作製し印刷した後、凹版印刷で黒１色により印刷したコンビネーション印刷物１０であり、人物画である。なお、図１（ｂ）、図１（ｃ）及び図１（ｄ）の印刷を組合せて、図１（ａ）の印刷物が完成する。
【００２２】
図１（ｂ）は、オフセット印刷のうち、ＦＭスクリーンによる印刷領域ｆを示したものであり、具体的には日本髪である。図１（ｃ）は、ＡＭスクリーンによる印刷領域ａを示したものであり、具体的には、日本髪以外の顔、服、背景である。さらに、図１（ｄ）は、凹版画線Ｉで構成した凹版印刷領域Ｉ’を示したものであり、所定の画線間隔により凹版画線が並列配置され、具体的には日本髪として視認される領域である。
【００２３】
（オフセット印刷版面の作製方法）
本発明のコンビネーション印刷物のうち、本発明の特徴であるＡＭスクリーンとＦＭスクリーンを混成させたオフセット印刷版面の作製方法から説明する。
【００２４】
まず、オフセット印刷に用いるフィルムの網点の生成方法を説明する。一般的なＦＭスクリーンは、フィルム出力機でＦＭスクリーンのモードによってフィルムを出力し、ランダムな位置に発生する網点を言うが、本発明の「ＦＭスクリーン」も、フィルムに生成されたスクリーン形状は一般的なＦＭスクリーンの形状と同一である。しかし、作製方法は、フィルム出力機でＡＭスクリーンのモードでフィルムを出力できる。その理由は、通常、フィルム出力機の機能（モード）として、ＡＭスクリーンかＦＭスクリーンのどちらかを選択してフィルム出力するため、ＡＭスクリーンとＦＭスクリーンとを混成しフィルム出力することは困難であるが、本発明では、フィルム出力機でＡＭスクリーンのモードでフィルムを出力しても、画像処理方法によってＦＭスクリーンを生成することで、結果的にはＡＭスクリーンとＦＭスクリーンが混成したフィルムが出力できるためである。
【００２５】
図２に、具体的なオフセット版面の作製方法を示す。まず、原画に対してスキャナ等を用い、色分解を行う（ＳＴＥＰ１）。次に、所定の画線間隔により凹版画線を並列配置して加刷する所定の領域、つまり、ＦＭスクリーンで印刷する印刷領域に対してマスキング処理を施す（ＳＴＥＰ２）。さらに、マスキング処理を施した所定の領域に対して画像処理ソフトの２階調変換機能を使い、具体的には画像処理ソフト「フォトショップ」に搭載された誤差拡散法を用い、擬似ＦＭスクリーン形状の２値画像を生成する（ＳＴＥＰ３）。次に、凹版を所定の間隔により並列配置しない領域は、滑らかな階調を維持するため、連続階調を保持したまま画像を合成する（ＳＴＥＰ４）。つまり、通常のＡＭスクリーンの画像を合成する。さらに、フィルムを出力し（ＳＴＥＰ５）、最終的には、フィルムをＰＳ版面に焼き付け、オフセット印刷版面が作製できる（ＳＴＥＰ６）。
【００２６】
この方法によって生成するフィルム網点は、フィルム出力機ではＡＭスクリーンのモードでフィルム出力するが、凹版印刷を加刷しないオフセット印刷のみの領域は、連続階調として通常のＡＭスクリーンで生成し、一方、凹版画線を所定の画線間隔により並列配置によってオフセット印刷に加刷する領域は、画像処理上は擬似的なＦＭスクリーン形状で生成することにより、１枚のフィルム上にＡＭスクリーンとＦＭスクリーンが生成される。また、網点の線数はＡＭスクリーンが２００線〜４００線、ＦＭスクリーンはＡＭスクリーンの線数に対して５〜３０％網点相当のドットサイズが好適である。以上の方法によって、オフセット印刷用フィルムを各色作製し、ＰＳ版面を作製することでオフセット印刷を行う。
【００２７】
（凹版印刷の凹版画線）
次に、ＦＭスクリーン上に加刷する凹版印刷による凹版画線を説明する。コンビネーション印刷物で凹版画線として代表的に用いられるのは、人物像、建物等である。特に、凹版画線に求められるのは、力強さや繊細さであり、人物像であれば、髪の毛、眉毛、髭、輪郭や着物、洋服等が凹版画線として使用される。また、本発明の凹版画線は、複数の凹版画線で構成された図柄が広いものが好適である。
【００２８】
例えば、図３に本発明の凹版画線１Ｉ、２Ｉを例示する。共に所定の画線幅と画線ピッチで規則的に複数の線を並べて構成し図柄を形成する。画線幅は０．０１〜０．１５ｍｍ、画線ピッチは０．０１〜０．１５ｍｍが好適である。なお、図３（ａ）、図３（ｂ）は、凹版画線の代表的な端部を示しており、図３（ａ）は、凹版画線１Ｉに沿って直角である形状、図３（ｂ）は、凹版画線２Ｉの先端が尖っている形状である。通常は、図３（ａ）の形状が多く、図３（ｂ）は髪の毛の生え際等に使用される。
【００２９】
また、図３（ｃ）及び図３（ｄ）は、図３（ａ）及び図３（ｂ）の凹版画線の下部にＦＭスクリーンｆ及びＡＭスクリーンａを配した図である。図３（ｃ）は、凹版画線１Ｉの場合であり、凹版画線１Ｉの端部同士を連結した境界Ｋとして、凹版画線１Ｉの印刷領域内Ｉ’の下部にはＦＭスクリーンｆの印刷領域ｆ’、一方、凹版画線１Ｌがない領域にはＡＭスクリーンａの印刷領域ａ’を配置している。一方、図３（ｄ）は、凹版画線２Ｉの場合であり、ＦＭスクリーンｆの印刷領域ｆ’とＡＭスクリーンａの印刷領域ａ’との境界線Ｋは、凹版画線２Ｉの端部ではなく（尖った先端部ではなく）、先端部以外の平行線の下部にＦＭスクリーンｆの印刷領域ｆ’、一方、先端部の下部及び凹版画線２Ｉがない領域はＡＭスクリーンａの印刷領域ａ’を配置する。なお、ここでいう「先端部」とは、凹版画線２Ｉのうち、先端の三角状の領域を称し、一方、「平行線」は、先端部を除いた領域（概ね線の輪郭線同士が平行な線）を称する。したがって、凹版画線２Ｌは、先端部と平行線からなり、ＦＭスクリーンｆの印刷領域ｆ’とＡＭスクリーンａの印刷領域ａ’との境界線Ｋは、先端部と平行線との境界を連結した位置、又は、平行線内の位置であればよい。
【００３０】
先端部の頂点から境界Ｋを設けない理由としては、図示のとおり先端部では凹版画線の面積率が低いため、下地のオフセット印刷がより視認でき、先端部の下部をＦＭスクリーンｆにすると、ザラツキが目立ってしまい、印刷物の階調性に悪影響を及ぼしてしまうためである。したがって、先端部の下部にＡＭスクリーンａを配置し、凹版画線２Ｉのうち、平行線では画線面積率が約５０％以上となり、下地のオフセット印刷が目立たない領域にＦＭスクリーンｆを配置することが望ましい。ただし、平行線の下部にＦＭスクリーンｆを配置する位置は、先端部以外では特段の制約はなく、適宜設定すればよい。以上のように、凹版画線の先端によって、実施形態が異なるため、それぞれを実施例で説明する。
【実施例１】
【００３１】
本実施例は、実施形態の図１で説明したコンビネーション印刷物と同様である。図３（ｃ）に示すような、凹版画線１Ｉの端部が直角な構成で、下地のＦＭスクリーンｆの印刷領域ｆ’とＡＭスクリーンａの印刷領域ａ’との境界線Ｋを凹版画線１Ｉの端部とした例である。
【００３２】
具体的には、図１（ａ）の１Ｈ部、日本髪の右上部を拡大した図４を用いて説明する。図４（ａ）は、オフセット印刷でプロセス４色に凹版印刷で黒１色を加刷した説明した図である。図４（ｂ）は、ＦＭスクリーンｆとＡＭスクリーンａで混成したオフセット印刷のみを説明した図である。図４（ｃ）は、凹版印刷の凹版画線１Ｉのみを説明した図である。
【００３３】
図４（ｂ）及び図４（ｃ）に示したように、ＦＭスクリーンｆの印刷領域ｆ’とＡＭスクリーンａの印刷領域ａ’との境界線Ｋは、凹版印刷の凹版画線の端部を連結した位置となる。つまり、凹版印刷領域Ｉ’とＡＭスクリーンの印刷領域ａ’とが同一領域である例である。なお、オフセット印刷は、ＡＭスクリーンは２００線、ＦＭスクリーンはＡＭスクリーン２００線の１０％網点相当のドットサイズとして、凹版印刷の凹版画線１Ｌの画線幅は約０．０５ｍｍ、画線ピッチは約０．１ｍｍで作製した。
【００３４】
本発明の構成の印刷物１０では、ＡＭスクリーンａの印刷領域ａ’では、豊かな階調再現性を持たせ、凹版印刷領域Ｉ’では、下部にＦＭスクリーンｆの不規則な網点で印刷することで、オフセット印刷の網点と凹版印刷の凹版画線でのモアレは発生しない。
【実施例２】
【００３５】
実施例２は、図１（ａ）の２Ｈ部、日本髪の右下部を拡大した図５で説明する。その他は、実施例１と異なる構成のみ説明する。図５（ｄ）に示すような、凹版画線２Ｉの端部が尖った構成の場合の例であり、ＦＭスクリーンｆの印刷領域ｆ’とＡＭスクリーンａ印刷領域ａ’との境界線Ｋが実施例１と異なる。
【００３６】
図５（ａ）は、オフセット印刷でプロセス４色に凹版印刷で黒１色を加刷した説明した図である。図５（ｂ）は、ＦＭスクリーンｆとＡＭスクリーンａで混成したオフセット印刷のみを説明した図である。図５（ｃ）は、凹版印刷の凹版画線２Ｉのみを説明した図である。
【００３７】
図５（ｂ）及び図５（ｃ）に示したように、ＦＭスクリーンｆの印刷領域ｆ’とＡＭスクリーンａの印刷領域ａ’との境界線Ｋは、凹版画線２Ｌの先端部近傍の平行線を連結した位置である。この印刷物１０’では、髪の毛の生え際を表現する凹版画線２Ｉの先端部を用いた場合でも、印刷図柄として豊富な階調再現性が得られ、さらに、モアレ防止が図られる。
【符号の説明】
【００３８】
１０、１０’、２０          コンビネーション印刷物
１１、１１’、２１          オフセット印刷物
１２、１２’、２２          凹版印刷物
ａ’          ＡＭスクリーンの印刷領域
ｆ’          ＦＭスクリーンの印刷領域
Ｉ’          凹版印刷の印刷領域
ａ          ＡＭスクリーン
ｆ          ＦＭスクリーン
Ｉ、１Ｉ、２Ｉ          凹版画線
Ｋ          ＦＭスクリーンとＡＭスクリーンの境界線
Ｒ          ロゼッタ
【図１】
2010167726.tif 000003
【図２】
2010167726.tif 000004
【図３】
2010167726.tif 000005
【図４】
2010167726.tif 000006
【図５】
2010167726.tif 000007
【図６】
2010167726.tif 000008
【図７】
2010167726.tif 000009